(57)【要約】アプリケーション内の視覚的な、所定のデザインを有する情報を自動車内のディスプレイによって示す方法で、情報のデザインをデータ処理部によって制御情報に応じて変化させ、デザインを変えた情報をアプリケーション画面に示す。【特許請求の範囲】
【請求項１】
アプリケーション内の視覚的な情報を自動車内のディスプレイによって示す方法であって、
前記情報は所定のデザインを有している形式の方法において、
前記情報のデザインをデータ処理部によって制御情報に応じて変化させ、デザインを変えた情報をアプリケーション画面に示す、
ことを特徴とする、アプリケーション内の視覚的な情報を自動車内のディスプレイによって示す方法。
【請求項２】
前記情報は、通信接続部を介してウェブサーバー上のデータ処理部からアプリケーションに伝送されるウェブサイトである、請求項１記載の方法。
【請求項３】
前記アプリケーションは制御情報をデータ処理部に伝送する、請求項１または２記載の方法。
【請求項４】
前記制御情報は自動車の状況に関する情報を含む、請求項１から３までのいずれか１項記載の方法。
【請求項５】
前記自動車の状況は、自動車速度、カーブ速度、カーブ曲率、道路状態、交通渋滞、走行状況、加速度または減速度、ポジション、傾斜角度、周辺明度、周辺温度および天候のようなパラメータのうちの１つまたは複数を有する、請求項４記載の方法。
【請求項６】
ウェブサイトのデザインを、内容、レイアウト、文字サイズ、カラー設定および／または個々または複数の画像部分に関して変化させる、請求項１から５までのいずれか１項記載の方法。
【請求項７】
カラー設定を、色パラメータである色、色調、彩度および明度のうちの１つまたは複数に関して変化させる、請求項６記載の方法。
【請求項８】
情報のバックグラウンド色および／またはバックグラウンドデザインを変化させる、請求項６または７記載の方法。
【請求項９】
１つまたは複数の文字色を変化させる、請求項７記載の方法。
【請求項１０】
制御情報を伝送するのにｃｏｏｋｉｅを使用する、請求項３から９までのいずれか１項記載の方法。
【請求項１１】
制御情報を伝送するのにＨＴＴＰリクエスト内のメタタグを使用する、請求項３から９までのいずれか１項記載の方法。
【請求項１２】
制御情報を伝送するのにパラメータリストをＵＲＬに付け加える、請求項３から９までのいずれか１項記載の方法。
【請求項１３】
ウェブサイトの色の変化を、ウェブサイトのソーステキスト内に存在するメタタグ設定部から導出する、請求項６から１２までのいずれか１項記載の方法。
【請求項１４】
制御情報をマニュアルの入力イベントおよび／または１つまたは複数の信号発生器の値から生成する、請求項１から１３までのいずれか１項記載の方法。
【請求項１５】
ディスプレイ（２）と、制御装置（１）と、通信装置（３， ４）と、自動車の状況を検出するセンサおよび／または信号発生器（６）を有する、
ことを特徴とする、請求項１から１４までのいずれか１項記載の方法を実行する装置。
【発明の詳細な説明】
【０００１】
本発明は、請求項１の上位概念に記載された、情報、特に視覚的な情報を自動車内のディスプレイに示す方法および、請求項１５の上位概念に記載された、この方法を実行する装置に関する。
【０００２】
今日の自動車には、情報を運転者に伝達し音響的および視覚的な信号を生成する多数のコンポーネントが存在する。これによって道路交通に集中している運転者の注意を転じさせることができる。交通ニュースを伴う従来のカーラジオの他にこれらは、視覚的および音響的に目的地案内を行うナビゲーションシステム、ハンドフリー装置が設けられた移動電話（すなわち自動車電話）およびグラフィック面が変化する多機能表示ユニットである。従って都市市街図、道路地図、走行ルートおよびその他の視覚的な情報を示すために、自動車内に適切な大きさのカラーディスプレイが配置される。このカラーディスプレイはテレビ画像およびビデオ画像を示すことができる。
【０００３】
インターネットおよびイントラネットは、迅速に情報を入手するおよびサービスを使用するための重要な手段である。しかし自動車内でネット（すなわちウェブサイト）からの情報を示すことは、人間工学的な理由で困難にぶつかる。なぜなら例えば明るく発光するスクリーン表示は夜間には運転者を眩惑させる恐れがあるからである。しかしインターネット内に提供されたウェブサイトは常に、ウェブサイト提供者によって設定されたカラー設定で示される。その時点でウェブサイトの色を、同じ方法で別のウェブサイトを整合させることによってこのウェブサイトがもはや読解不可能になってしまう危険を伴わずに、整合することができないので、これによってウェブサイトの読みやすさおよび表示が幾つかのアプリケーションに適切でなくなる恐れがある。なぜなら文字とバックグラウンドの色は突発的に同一または類似であり、これによってコントラストが実現されない、または不良なコントラストしか実現されないからである。
【０００４】
それ故に本発明の課題は、インターネットまたはイントラネットからの情報を自動車のディスプレイに、運転者がこの情報をできるだけ確実に解することができるように示すことである。
【０００５】
前述の課題は、請求項１に記載された方法および請求項１５に記載された装置によって解決される。本発明の有利な構成は従属請求項の対象である。
【０００６】
アプリケーション内の視覚的な、所定のデザインを有する情報を自動車内のディスプレイに示す本発明の方法では、情報のデザインがデータ処理部によって制御情報に依存して変化され、デザインを変えた情報がアプリケーション画面に示される。
【０００７】
有利にはこの情報はウェブサイトのことである。このウェブサイトは通信接続部を介してウェブサーバー上のデータ処理部から、自動車内のアプリケーションに伝送される。ウェブサイトないし視覚的な情報を変化または整合させるために、アプリケーションから制御情報がデータ処理部に伝送される。この制御情報は、特に自動車の目下の状況ないしは状態に関する情報を含む。ここで「自動者の状況」という概念は幾つかのパラメータによってあらわされる。これらのパラメータは例えば自動車速度、カーブ速度、カーブ曲率、道路状態、交通渋滞、走行状況、加速度または減速度、ポジション、傾斜角度、周辺明度、周辺温度および天候等である。
【０００８】
データ処理部によって変化したウェブサイトのデザインは、有利にはその内容、レイアウト、文字サイズ、カラー設定および／または個々または複数の画像部分に関して変化されている。
【０００９】
有利にはカラー設定が変えられる。詳細にはこれはパラメータである色、色調、彩度および明度のうちの１つまたは複数に関して行われる。さらに情報ないしウェブサイトのバックグラウンド色および／またはバックグラウンドデザインおよび／または一つまたは複数の文字色が変化する。
【００１０】
制御情報を伝送するためにｃｏｏｋｉｅ並びにＨＴＴＰリクエスト内のメタタグが使用されるか、または適切なパラメータリストがＵＲＬに付け加えられる。さらにウェブサイトの色の変化をウェブサイトのソーステキスト内に存在するメタタグ設定部（Ｍｅｔａｔａｇ−Ａｎｇａｂｅ）から導出することも可能である。
【００１１】
制御情報を、例えばマニュアルの入力イベントおよび／または１つまたは複数の信号発生器またはセンサの値から生成することができる。
【００１２】
本発明の方法を実行する装置はディスプレイ、制御装置、インターネット等に接続するための通信装置および、自動車の状況を検出するためのセンサおよび／または信号発生器を有する。
【００１３】
本発明の有利な実施形態を以下で、本発明の方法を実行する装置をあらわす図面に基づいてより詳細に説明する。
【００１４】
図にはディスプレイ２が接続されている制御部１が示されている。制御部１はアプリケーションが動作するインターネットモジュール３と接続されている。ここでこのインターネットモジュール３は相応のアンテナを有するモバイルステーション４を介して移動通信網に組み込まれており、ウェブサーバー５上のデータ処理部（図示されていない）と通信する。さらに制御部１はまとめて参照番号６で示されている種々異なるセンサおよび信号発生器と接続されている。
【００１５】
ここで基本となる本発明の方法は、明度およびカラー設定の形での外部出現が主要である、アプリケーションに対するウェブサイトの整合を可能にするので、以下で実質的に色の整合が受け入れられる。しかしウェブサイトの他のデザイン要素（文字サイズ、レイアウト等）もこの方法によって、自動車の状況の適切なパラメータを使用して変化可能である。
【００１６】
ウェブサイトの呼び出し時に、ウェブサーバー上のデータ処理部（略してＤＶＰ）とアプリケーションとのあいだに通信接続が確立する。このような通信経路はアプリケーションによって使用され、制御情報によってＤＶＰに他のカラー設定がウェブサイトに望まれていることが伝達される。ＤＶＰはここでこの制御情報に基づいて、状況に適したウェブサイトの他のカラー設定値を生成し、これをアプリケーションに供給する。これは、この種の方法がＤＶＰによってサポートされることを前提条件とする。通信方法は例えば、ａ）ウェブアドレス（ＵＲＬ）に付け加えられるパラメータ、ｂ）いわゆるｃｏｏｋｉｅ、ｃ）ウェブサイト上のメタタグまたは、ｄ）ＨＴＴＰリクエスト内のメタタグ拡張によって実現される。
【００１７】
ａ）の場合にはウェブサーバー上のＤＶＰは、ＵＲＬに付け加えられたパラメータから制御情報を導出し、ウェブサイトは呼び出されるとすぐにアプリケーションから要求されたカラー設定値を生成して伝達する。
【００１８】
ｂ）の場合にはウェブサーバー上のＤＶＰによって、ウェブサイトの最初の呼び出し時にｃｏｏｋｉｅがアプリケーションに伝送される。このｃｏｏｋｉｅによってＤＶＰは、アプリケーションとの通信接続が確立されているあいだ、アプリケーションの必要な制御情報を問い合わせ、相応のカラー設定を有するウェブサイトを作成して伝送することができる。
【００１９】
ｃ）の場合にはウェブサイトのソースコード内に付加的なメタタグが存在する。このようなメタタグに基づいてアプリケーションは同時に、ウェブサイトが色整合に対するここに示されているメカニズムをサポートしているか否かを識別することができる。この情報に加えて次のようなウェブアドレスがメタタグ内に提示される。すなわち他のカラー設定を有する択一的なウェブサイトにつながり、例えば自動的に呼び出されるウェブアドレスである。このように、アプリケーション内でアプリケーション環境の状況に応じて生成される制御情報によって、既に表示装置内に存在するウェブサイトがこの色表示で実現される。
【００２０】
ｄ）の場合のはａ）の場合と同じように、ウェブサイト上のＤＶＰが制御情報をＨＴＴＰリクエストのメタタグから導出することができる。
【００２１】
ここに挙げた方法は、今日使用されているウェブ技術にコンパチブルであり、この方法をサポートしないブラウザまたはウェブサイトによるコンフリクトなしに使用することができる。
【００２２】
最も簡単な使用ケースは、アプリケーションによる明るいウェブサイトまたは暗いウェブサイトの要求であろう。この方法の別の形態で制御情報は、周辺明度と同等の値を含む。このような値はウェブサイト上のＤＶＰによって使用され、ウェブサイトの明度またはカラー設定が完全に、アプリケーションに対する実状に整合する。ここでこの周辺明度は、アプリケーションの周辺領域内の光センサを介して測定される。
【００２３】
この種の色整合を別個のウェブサービスを介して実現することもできる。このウェブサービスはインターネット内で使用可能であるか、またはウェブサービスとして直接的にアプリケーション内で動作する。この種のウェブサービスのタスクはこのような色整合を中央ＤＶＰとして提供し、実行させる（ｄｕｒｃｈｚｕｌａｕｆｅｎ）ことである。これは次の利点を有する。すなわちインターネット内に存在するウェブサイトそれぞれがこのような機能性を考慮する必要はなく、このような中央のウェブサービスによって各ウェブサイトの色整合が可能なことである。
【００２４】
ウェブサーバー上の色が整合されたこのようなウェブサイトの作成は、ウェブサーバー上のＤＶＰ内の動的なウェブサイト作成部によって実現される。すなわちウェブサーバーは、可能な色のコンビネーションそれぞれに対して相応のウェブサイトを用意する必要はなく、その時々のウェブサイト問い合わせに対してウェブサイトを全般的に（ｕｎｉｖｅｒｓｅｌｌ）作成する。これに加えて計算プログラムを色整合のために使用することができる。または最も簡単な場合にはＤＶＰは例えば日中表示または夜間表示のための２つの固定した色バリエーションをサポートする。
【００２５】
自動車では日中は特に日光が差し込むことも原因となって、非常に明るい、コントラストの高いカラー設定が望まれる。また夜間は、暗い色および面を伴う有非常に低い明度が望まれる。上述の方法によって、車内にウェブサイトを表示する際のこの問題が解決される。車両は例えばライティングスイッチの位置状態または車内の光センサの測定値をＤＶＰに伝達し、これによって日中作動または夜間作動に対する必要な制御情報を供給する。ＤＶＰは相応の色表現を有するウェブサイトを作成する。さらにＤＶＰは時間に応じて、場合によっては付加的に車両のポジションを加味してカラー設定を整合させることができる。このような情報および年間の光の状態に基づいて同じように、カラー設定の自動的な整合を実現することができる。モビール状態でデータアクセスをするインターネットが車内で、ルート計画、交通通報、オフボードナビゲーション用に使用され始めているので、ウェブサイトのこの種の色整合によって自動車の運転者の機能が有意義に拡張される。
【図面の簡単な説明】
【図１】
本発明の方法を実行する装置をあらわす概略図である。
【符号の説明】
１  制御部
２  ディスプレイ
３  インターネットモジュール
４  モバイルステーション
５  ウェブサーバー
６  センサおよび信号発生器
【国際公開パンフレット】
2004520994.tif 000002
2004520994.tif 000003
2004520994.tif 000004
2004520994.tif 000005
2004520994.tif 000006
2004520994.tif 000007
2004520994.tif 000008
2004520994.tif 000009
2004520994.tif 000010
2004520994.tif 000011
2004520994.tif 000012
【国際公開パンフレット（コレクトバージョン）】
2004520994.tif 000013
【国際調査報告】
2004520994.tif 000014
2004520994.tif 000015
2004520994.tif 000016
2004520994.tif 000017
2004520994.tif 000018
2004520994.tif 000019